(57)【要約】【課題】ハーフミラーと映像表示部を備えた電子ミラー装置において、電子ミラー装置の表示を映像表示部とハーフミラー間で切り替える際の視認性の低下を防止した電子ミラー装置を提供する。【解決手段】制御部は、表示器の表示を映像表示部による表示からハーフミラーによる表示に切り替える際に映像表示部の輝度を徐々に低くし、表示器の表示をハーフミラーによる表示から映像表示部による表示に切り替える際に映像表示部の輝度を徐々に高くするように制御する。制御部は徐々に輝度を高くする期間Ｔ２よりも、徐々に輝度を低くする期間Ｔ１が長くなるように制御する。【選択図】図７
2016022934.tif 000002
【特許請求の範囲】
【請求項１】
車両に搭載したカメラが撮影した映像を表示する車室内のルームミラーの取付位置に設置される表示器と、
前記表示器を制御する制御部と、
前記表示器の表示を切り替える操作部とを備え、
前記表示器は、運転席側に開口部を有した本体ケース、前記本体ケースの開口部に装着された映像表示部、前記映像表示部の運転席側に配置されたハーフミラーを備え、
前記制御部は、前記操作部により前記表示器の表示を切り替える際に前記映像表示部の輝度を徐々に変化させるように構成した電子ミラー装置。
【請求項２】
前記制御部は、前記制御部が前記操作部の操作に基づき前記表示器の表示を前記映像表示部による表示から前記ハーフミラーによる表示に切り替える際に前記映像表示部の輝度を徐々に低くするように構成した請求項１に記載の電子ミラー装置。
【請求項３】
前記制御部は、前記制御部が前記操作部の操作に基づき前記表示器の表示を前記ハーフミラーによる表示から前記映像表示部による表示に切り替える際に前記映像表示部の輝度を徐々に高くするように構成した請求項１に記載の電子ミラー装置。
【請求項４】
前記制御部は、前記制御部が前記操作部の操作に基づき前記表示器の表示を前記映像表示部による表示から前記ハーフミラーによる表示に切り替える際に前記映像表示部の輝度を徐々に低くする期間を前記制御部が前記操作部の操作に基づき前記表示器の表示を前記ハーフミラーによる表示から前記映像表示部による表示に切り替える際に前記映像表示部の輝度を徐々に高くする期間よりも長い期間として構成した請求項１に記載の電子ミラー装置。
【請求項５】
前記表示器の切り替え操作を行うためのドライバーの接触を検知するセンサーを備え、
前記制御部は、前記センサーがドライバーの接触を検知した場合に、前記操作部の操作に基づく前記表示器の表示の切り替え前から前記映像表示部の輝度を徐々に変化させるように構成した請求項１から請求項４のいずれか１項に記載の電子ミラー装置。
【請求項６】
前記制御部は、前記映像表示部の異常を検知した場合、前記制御部が前記操作部の操作に基づき前記表示器の表示を前記映像表示部による表示から前記ハーフミラーによる表示に切り替える際に前記映像表示部の輝度を徐々に低くすることなく前記ハーフミラーによる表示に切り替えるように構成した請求項２に記載の電子ミラー装置。
【発明の詳細な説明】
【技術分野】
【０００１】
本発明は、ハーフミラーと映像表示部とを備えた電子ミラー装置に関する。
【背景技術】
【０００２】
従来のハーフミラーと映像表示部とを備えた電子ミラー装置として、映像表示部の視認性を向上させるために、映像表示部を視認する際、ハーフミラーの角度をハーフミラーで車両後方を視認できない角度とするものが知られている（例えば特許文献１参照）。
【先行技術文献】
【特許文献】
【０００３】
【特許文献１】特開２０１４−１５１９８号公報
【発明の概要】
【発明が解決しようとする課題】
【０００４】
しかしながら、従来のハーフミラーと映像表示部とを備えた電子ミラー装置では、電子ミラー装置の表示を映像表示部とハーフミラー間で切り替える際の視認性に関しては考慮されていない。
【０００５】
通常、電子ミラー装置の映像表示部が表示する画像の輝度とハーフミラーが表示する画像の輝度とは異なる。
【０００６】
映像表示部が表示する画像の輝度は、画像の視認性向上のために補正され、映像表示部には、実像の明るさよりも明るい画像が表示される。
【０００７】
一方、ハーフミラーが表示する画像の輝度は、通常のミラーが表示する画像の輝度に比べ低くなる。ハーフミラーには、実像の明るさよりも暗い画像が表示される。
【０００８】
ドライバーが電子ミラー装置の表示を映像表示部からハーフミラーに切り替える場合、車室内の様子、例えば後部座席に座る子供の様子等を確認したい場合が考えられる。
【０００９】
夜間等、車室内が暗い状況でドライバーが電子ミラー装置の表示を映像表示部からハーフミラーに切り替えると、電子ミラー装置が表示する画像の明るさが急激に変わり、ドライバーが明るさの変化に順応しハーフミラーに映る画像を認識できるようになるまでには時間がかかり、ハーフミラーの視認性が低下する。
【００１０】
電子ミラー装置の表示をハーフミラーから映像表示部へ切り替えた場合にも、同様に明るさの変化に順応し映像表示部に映る画像を認識できるようになるまでには時間がかかり、映像表示部の視認性が低下する。
【００１１】
本発明は、上記課題を解決するもので、電子ミラー装置の表示を映像表示部とハーフミラー間で切り替える際の視認性の低下を防止した電子ミラー装置を提供することを目的とする。
【課題を解決するための手段】
【００１２】
上記解題を解決するために本発明の電子ミラー装置は、車両に搭載したカメラが撮影した映像を表示する車室内のルームミラーの取付位置に設置される表示器と、前記表示器を制御する制御部と、前記表示器の表示を切り替える操作部とを備え、前記表示器は、運転
席側に開口部を有した本体ケース、前記本体ケースの開口部に装着された映像表示部、前記映像表示部の運転席側に配置されたハーフミラーを備え、前記制御部は、前記操作部により前記表示器の表示を切り替える際に前記映像表示部の輝度を徐々に変化させる構成となっている。
【発明の効果】
【００１３】
本発明によれば、制御部が映像表示部の輝度を徐々に変化させることで明るさの変化に対する順応を早め、電子ミラー装置の表示を映像表示部とハーフミラー間で切り替える際の視認性の低下を防止することができる。
【図面の簡単な説明】
【００１４】
【図１】本発明の実施の形態１における電子ミラー装置を搭載した車両の車室内を示す正面図
【図２】同、車両の平面図
【図３】同、車両の断面図
【図４】本発明の実施の形態１における表示器の正面図
【図５】本発明の実施の形態１における表示器の断面図
【図６】本発明の実施の形態１における電子ミラー装置の制御ブロック図
【図７】本発明の実施の形態１における電子ミラー装置の第１の輝度変化の一例を説明する図
【図８】本発明の実施の形態１における電子ミラー装置の第２の輝度変化の一例を説明する図
【図９】本発明の実施の形態１における電子ミラー装置の第３輝度変化の一例を説明する図
【発明を実施するための形態】
【００１５】
以下、本発明の一実施形態にかかる電子ミラー装置を車両に搭載した例を添付図面を用いて説明する。
（実施の形態１）
図１〜図３に示すように、車両１には車室内２の運転席３と助手席４との間の前方部分で、ルームミラーの取付位置に、電子ミラー装置を構成する表示器５が、取付部６に対して可動調整自在に取り付けられている。
【００１６】
表示器５に表示される画像５０は、図４に示すように映像表示部である液晶ディスプレイによる表示と、ハーフミラーによる表示とを操作部５０３の操作により切替が可能となっている。
【００１７】
表示器５は、図５に示すように運転席側に開口部を有する本体ケース５Ａと、この本体ケース５Ａの開口部に液晶表示面が運転席側となるように装着された液晶ディスプレイ５０１と、液晶ディスプレイ５０１の運転席側に設けられたハーフミラー５０２と、液晶ディスプレイ５０１をＯＮ状態、ＯＦＦ状態とする操作部５０３を備えた構成になっている。
【００１８】
液晶ディスプレイ５０１は、図６に示すように制御部５０４に接続されている。制御部５０４は、操作部５０３、カメラ７に接続されている。
【００１９】
制御部５０４は、動作を制御するＣＰＵ、制御プログラムを格納するＲＯＭ、一時的に保持されるデータや制御データを格納するＲＡＭを備えている。
【００２０】
以上のように構成された本願発明の実施の形態１における電子ミラー装置５００につい
て、実施の形態１における主要な動作の一例を説明する。
【００２１】
図７は、電子ミラー装置５００の実施の形態１における液晶ディスプレイ５０１の輝度変化の一例を説明する図である。
【００２２】
図７（ａ）は、ドライバーが操作部５０３の切り替え操作により、表示器５の表示を液晶ディスプレイ５０１による表示からハーフミラー５０２による表示に切り替えた際の液晶ディスプレイ５０１の輝度変化の一例を示している。
【００２３】
液晶ディスプレイ５０１の輝度値は、ドライバーの切り替え操作からＴ１の期間、例えば、１．５秒の期間、表示を液晶ディスプレイ５０１からハーフミラー５０２に切替る前の輝度値から徐々に低くなっていく。
【００２４】
液晶ディスプレイ５０１の輝度値がゼロになる前にハーフミラー５０２には画像が表示され、Ｔ１の期間内に液晶ディスプレイ５０１による表示とハーフミラー５０２による表示か切り替わる。
【００２５】
ドライバーは輝度の低下中もハーフミラー５０２に画像が表示されるまで暗くなりつつある液晶ディスプレイ５０１の画像を視認することができる。ドライバーは、ドライバー自身の切り替え操作の実施と、徐々に暗くなる液晶ディスプレイ５０１の視認とにより、ドライバーはこれから表示器５の表示が暗くなるとの認識のもと、ハーフミラー５０２の視認へと移る。従って、徐々に液晶ディスプレイ５０１の輝度を低くすることによりドライバーの明るさの変化に対する順応を早くすることができ、液晶ディスプレイ５０１からハーフミラー５０２による表示の切り替えの際のハーフミラー５０２の視認性の低下を防止することができる。
【００２６】
図７（ｂ）は、ドライバーが操作部５０３の切り替え操作により、表示器５の表示をハーフミラー５０２による表示から液晶ディスプレイ５０１による表示に切り替える際の液晶ディスプレイ５０１の輝度変化の一例を示している。
【００２７】
液晶ディスプレイ５０１の輝度値は、ドライバーの切り替え操作からＴ１の期間、徐々に高くなっていく。
【００２８】
一般に、ハーフミラーから映像表示部に切り替えた場合は、映像表示部からハーフミラーへ切り替えた場合に比べ短い時間で明るさの変化に順応すことができる。実施の形態１ではＴ１の１．５秒に対し、Ｔ２を１秒としている。
【００２９】
ハーフミラー５０２による表示はＴ２の期間内に液晶ディスプレイ５０１の表示に切替る。液晶ディスプレイに表示される画像は徐々に明るくなる。
【００３０】
ドライバーは、ドライバー自身の切り替え操作の実施と、徐々に明るくなる液晶ディスプレイ５０１の視認とにより、ドライバーはこれから表示器５の表示が明るくなるとの認識のもと、液晶ディスプレイ５０１の視認へと移る。従って、徐々に液晶ディスプレイ５０１の輝度を高くすることによりドライバーの明るさの変化に対する順応を早くすることができ、ハーフミラー５０２から液晶ディスプレイ５０１による表示の切り替えの際の液晶ディスプレイ５０１の視認性の低下を防止することができる。
【００３１】
以上のように本発明の実施の形態１における電子ミラー装置５００によれば、制御部５０４は、操作部５０３により表示器５の表示を液晶ディスプレイ５０１からハーフミラー５０２による表示に切り替える際に液晶ディスプレイ５０１の輝度を徐々に低くし、ハー
フミラー５０２から液晶ディスプレイ５０１による表示に切り替える際に、液晶ディスプレイ５０１の輝度を徐々に高くすることにより、電子ミラー装置の表示を液晶ディスプレイ５０１とハーフミラー５０２間で切り替える際の視認性の低下を防止した電子ミラー装置を提供することができる。
【００３２】
なお、実施の形態１では輝度を変化させる期間Ｔ１、Ｔ２を固定した構成を説明したが、Ｔ１、Ｔ２を可変として構成してもよい。
【００３３】
順応反応の早い若年者、若年者に比べ順応反応の遅い高齢者、それぞれに対し表示切り替え時の視認性の低下を防止した電子ミラー装置を提供することができる。
【００３４】
また、操作部５０３に例えば圧力センサーや静電容量センサー等のドライバーの操作部５０３への接触を検知するセンサーを設け、制御部５０４が、センサーがドライバーが操作部５０３の切り替え操作のためにドライバーが操作部５０３に接触したことを検知した場合に、図８に示すように液晶ディスプレイ５０１の輝度を変化させるように構成してもよい。
【００３５】
図８（ａ）は、ドライバーが操作部５０３の切り替え操作により、表示器５の表示を液晶ディスプレイ５０１による表示からハーフミラー５０２による表示に切り替えた際の液晶ディスプレイ５０１の輝度変化の一例を示している。
【００３６】
図８（ｂ）は、ドライバーが操作部５０３の切り替え操作により、表示器５の表示をハーフミラー５０２による表示から液晶ディスプレイ５０１による表示に切り替える際の液晶ディスプレイ５０１の輝度変化の一例を示している。
【００３７】
ドライバーが操作部５０３の切り替え操作により表示器５の表示を切り替える前に、センサーに基づき制御部５０４がドライバーの意志を判定し、液晶ディスプレイ５０１の輝度を変化させることにより、ドライバーの表示器５の明るさの変化に対する順応を一層早め、電子ミラー装置の５００の表示を液晶ディスプレイ５０１とハーフミラー５０２間で切り替える際の視認性の低下をより一層防止することができる。
【００３８】
また、制御部５０４が液晶ディスプレイ５０１の異常、例えば、画像の白とび等を検知した場合には、図９に示すように制御部５０４は、ハーフミラー５０２による表示に切り替える際に、液晶ディスプレイ５０１の輝度を徐々に低くすることなくハーフミラー５０２による表示に切り替えるように構成してもよい。
【００３９】
液晶ディスプレイ５０１の異常による表示器５の視認性の低下を防止することができる。
【産業上の利用可能性】
【００４０】
本発明の電子ミラーは、車載用の監視装置として有用である。
【符号の説明】
【００４１】
１  車両
２  車室内
５  表示器
６  取付部
７  カメラ
５Ａ  本体ケース
５００  電子ミラー装置
５０１  液晶ディスプレイ
５０２  ハーフミラー
５０３  操作部
５０４  制御部
【図１】
2016022934.tif 000003
【図２】
2016022934.tif 000004
【図３】
2016022934.tif 000005
【図４】
2016022934.tif 000006
【図５】
2016022934.tif 000007
【図６】
2016022934.tif 000008
【図７】
2016022934.tif 000009
【図８】
2016022934.tif 000010
【図９】
2016022934.tif 000011